(57)【要約】【課題】ＡＴＩＰ情報とサブＱ情報とにずれのある光ディスクでも正常に情報にアクセスできるようにする。【解決手段】システムコントローラは、Ｓ１１でシーク（粗シーク，微シーク，トラックジャンプの繰り返し）を行い、Ｓ１２で追記可能な光ディスクか否かを判断し、追記可能な光ディスクの場合、Ｓ１３でＡＴＩＰ情報またはＳｕｂＱ情報でアドレスリードしてアドレスを取得し、追記不可能な光ディスクの場合、Ｓ１５でＳｕｂＱ情報でアドレスリードしてアドレスを取得し、Ｓ１４で取得したアドレスが目標アドレスの手前の所定のセクタ以内か否かを判断し、目標アドレスの手前の所定のセクタ以内であればシークを終了し、そのアドレスのデータを再生する。【選択図】　　　図３
2004046961.tif 000002
【特許請求の範囲】
【請求項１】
データの未記録時に予め記録されているアドレス情報と記録されたデータの構造内に含まれるアドレス情報との２つのアドレス情報を有する光学的情報記録媒体に対して前記２つのアドレス情報のいずれかに基づいて情報の再生を行う情報再生方法であって、
前記光学的情報記録媒体が記録可能か否かを判断し、記録不可能と判断した場合、前記記録されたデータの構造内のアドレス情報に基づいて前記光学的情報記録媒体の情報を再生することを特徴とする情報再生方法。
【請求項２】
データの未記録時に予め記録されているアドレス情報と記録されたデータの構造内に含まれるアドレス情報との２つのアドレス情報を有する光学的情報記録媒体に対して前記２つのアドレス情報のいずれかに基づいて情報の再生を行う情報再生方法であって、
前記光学的情報記録媒体が記録可能か否かを判断し、記録不可能と判断した場合、前記データの未記録時に予め記録されているアドレス情報の取得を禁止して情報の再生を行うことを特徴とする情報再生方法。
【請求項３】
データの未記録時に予め記録されているアドレス情報と記録されたデータの構造内に含まれるアドレス情報との２つのアドレス情報を有する光学的情報記録媒体に対して前記２つのアドレス情報のいずれかに基づいて情報の再生を行う情報再生手段を有する情報再生装置であって、
前記光学的情報記録媒体が記録可能か否かを判断し、記録不可能と判断した場合、前記記録されたデータの構造内のアドレス情報に基づいて前記光学的情報記録媒体の情報を再生する情報再生制御手段を備えたことを特徴とする情報再生装置。
【請求項４】
データの未記録時に予め記録されているアドレス情報と記録されたデータの構造内に含まれるアドレス情報との２つのアドレス情報を有する光学的情報記録媒体に対して前記２つのアドレス情報のいずれかに基づいて情報の再生を行う情報再生手段を有する情報再生装置であって、
前記光学的情報記録媒体が記録可能か否かを判断し、記録不可能と判断した場合、前記データの未記録時に予め記録されているアドレス情報の取得を禁止して情報の再生を行う情報再生制御手段を備えたことを特徴とする情報再生装置。
【請求項５】
コンピュータに、データの未記録時に予め記録されているアドレス情報と記録されたデータの構造内に含まれるアドレス情報との２つのアドレス情報を有する光学的情報記録媒体に対して前記２つのアドレス情報のいずれかに基づいて情報の再生を行う情報再生手順と、前記光学的情報記録媒体が記録可能か否かを判断し、記録不可能と判断した場合、前記記録されたデータの構造内のアドレス情報に基づいて前記光学的情報記録媒体の情報を再生する情報再生制御手順を実行させるためのプログラム。
【請求項６】
コンピュータに、データの未記録時に予め記録されているアドレス情報と記録されたデータの構造内に含まれるアドレス情報との２つのアドレス情報を有する光学的情報記録媒体に対して前記２つのアドレス情報のいずれかに基づいて情報の再生を行う情報再生手順と、前記光学的情報記録媒体が記録可能か否かを判断し、記録不可能と判断した場合、前記データの未記録時に予め記録されているアドレス情報の取得を禁止して情報の再生を行う情報再生制御手順を実行させるためのプログラム。
【請求項７】
コンピュータに、データの未記録時に予め記録されているアドレス情報と記録されたデータの構造内に含まれるアドレス情報との２つのアドレス情報を有する光学的情報記録媒体に対して前記２つのアドレス情報のいずれかに基づいて情報の再生を行う情報再生手順と、前記光学的情報記録媒体が記録可能か否かを判断し、記録不可能と判断した場合、前記記録されたデータの構造内のアドレス情報に基づいて前記光学的情報記録媒体の情報を再生する情報再生制御手順を実行させるためのプログラムを記録したコンピュータ読み取り可能な記録媒体。
【請求項８】
コンピュータに、データの未記録時に予め記録されているアドレス情報と記録されたデータの構造内に含まれるアドレス情報との２つのアドレス情報を有する光学的情報記録媒体に対して前記２つのアドレス情報のいずれかに基づいて情報の再生を行う情報再生手順と、前記光学的情報記録媒体が記録可能か否かを判断し、記録不可能と判断した場合、前記データの未記録時に予め記録されているアドレス情報の取得を禁止して情報の再生を行う情報再生制御手順を実行させるためのプログラムを記録したコンピュータ読み取り可能な記録媒体。
【請求項９】
ＡＴＩＰ情報とＳｕｂＱ情報の２つの情報を有する光ディスクに対して前記２つの情報のいずれかに基づいて情報の再生を行う情報再生手段を有する光ディスク装置であって、
前記光ディスクが追記可能か否かを判断し、追記不可能と判断した場合、前記ＳｕｂＱ情報に基づいて前記光ディスクの情報を再生する情報再生制御手段を備えたことを特徴とする光ディスク装置。
【請求項１０】
ＡＴＩＰ情報とＳｕｂＱ情報の２つの情報を有する光ディスクに対して前記２つの情報のいずれかに基づいて情報の再生を行う情報再生手段を有する光ディスク装置であって、
前記光ディスクが追記可能か否かを判断し、追記不可能と判断した場合、前記ＡＴＩＰ情報の取得を禁止して情報の再生を行う情報再生制御手段を備えたことを特徴とする光ディスク装置。
【請求項１１】
ＡＴＩＰ情報とＳｕｂＱ情報の２つの情報を有する光ディスクに対して前記２つの情報のいずれかに基づいて情報の再生を行う情報再生手段を有する光ディスク装置であって、
前記光ディスクが追記可能か否かを判断し、追記不可能と判断した場合、ホストコンピュータから前記ＡＴＩＰ情報を読み出すコマンドを受け取っても前記ＡＴＩＰ情報を返送しないようにする手段を備えたことを特徴とする光ディスク装置。
【請求項１２】
請求項１０記載の光ディスク装置において、前記光ディスクがＣＤ−ＲＷディスクの場合、そのＡＴＩＰ情報を取得する手段を設けたことを特徴とする光ディスク装置。
【請求項１３】
請求項１１記載の光ディスク装置において、前記光ディスクが追記禁止のＣＤ−ＲＷディスクの場合、そのＡＴＩＰ情報を前記ホストコンピュータへ返送する手段を設けたことを特徴とする光ディスク装置。
【発明の詳細な説明】
【０００１】
【発明の属する技術分野】
この発明は、ＣＤ，ＣＤ−ＲＯＭ，ＣＤ−Ｒ／ＲＷ，ＣＤ＋Ｒ／ＲＷ，ＤＶＤ−Ｒ／ＲＷ，ＤＶＤ−ＲＡＭ／ＲＡＭ・ＷＯ，ＤＶＤ＋Ｒ／ＲＷ等の光学的情報記録媒体の情報再生方法と、その光学的情報記録媒体の情報を再生するＣＤドライブ，ＣＤ−ＲＯＭドライブ，ＣＤ−Ｒ／ＲＷドライブ，ＣＤ＋Ｒ／ＲＷドライブ，ＤＶＤ−Ｒ／ＲＷドライブ，ＤＶＤ−ＲＡＭ／ＲＡＭ・ＷＯドライブ，ＤＶＤ＋Ｒ／ＲＷドライブ等の情報再生装置と、その情報再生機能をコンピュータに実現させるプログラムと、そのプログラムを記録したコンピュータ読み取り可能な記録媒体と光ディスク装置に関する。
【０００２】
【従来の技術】
従来、光学的情報記録媒体の情報を再生する情報再生装置、例えばＣＤ−ＲドライブはＣＤ−Ｒディスクが挿入されると、ＣＤ−Ｒディスクの各種情報を取得するためにＡＴＩＰ情報（データの未記録時に予め記録されているアドレス情報）に含まれるスペシャルインフォメーションやアディショナルインフォメーションを読みに行き、ＣＤ−Ｒディスクをアクセスする場合、ＳｕｂＱ情報（記録されたデータの構造内に含まれるアドレス情報）の読み取りが悪い場合のアクセス性能を上げるために、ＡＴＩＰ情報の時間情報に基づいてシーク動作を行う（例えば、特開平９−１４７３８１号公報参照）。
【０００３】
【発明が解決しようとする課題】
しかしながら、上述した従来の情報再生装置では、ＡＴＩＰ情報を読む機構が無いＣＤ−ＲＯＭドライブに比べてマウント時間が遅くなったり、ＡＴＩＰ情報とＳｕｂＱ情報にずれのある光ディスクの情報にアクセスできなくなったりするという問題があった。
この発明は上記の課題を解決するためになされたものであり、光学的情報記録媒体の再生時に生じる上述のような不具合を解消することを目的とする。
【０００４】
【課題を解決するための手段】
この発明は上記の目的を達成するため、次の（１）と（２）の情報再生方法を提供する。
（１）データの未記録時に予め記録されているアドレス情報と記録されたデータの構造内に含まれるアドレス情報との２つのアドレス情報を有する光学的情報記録媒体に対して上記２つのアドレス情報のいずれかに基づいて情報の再生を行う情報再生方法であって、上記光学的情報記録媒体が記録可能か否かを判断し、記録不可能と判断した場合、上記記録されたデータの構造内のアドレス情報に基づいて上記光学的情報記録媒体の情報を再生する情報再生方法。
【０００５】
（２）データの未記録時に予め記録されているアドレス情報と記録されたデータの構造内に含まれるアドレス情報との２つのアドレス情報を有する光学的情報記録媒体に対して上記２つのアドレス情報のいずれかに基づいて情報の再生を行う情報再生方法であって、上記光学的情報記録媒体が記録可能か否かを判断し、記録不可能と判断した場合、上記データの未記録時に予め記録されているアドレス情報の取得を禁止して情報の再生を行う情報再生方法。
【０００６】
また、次の（３）と（４）の情報再生装置も提供する。
（３）データの未記録時に予め記録されているアドレス情報と記録されたデータの構造内に含まれるアドレス情報との２つのアドレス情報を有する光学的情報記録媒体に対して上記２つのアドレス情報のいずれかに基づいて情報の再生を行う情報再生手段を有する情報再生装置であって、上記光学的情報記録媒体が記録可能か否かを判断し、記録不可能と判断した場合、上記記録されたデータの構造内のアドレス情報に基づいて上記光学的情報記録媒体の情報を再生する情報再生制御手段を備えた情報再生装置。
【０００７】
（４）データの未記録時に予め記録されているアドレス情報と記録されたデータの構造内に含まれるアドレス情報との２つのアドレス情報を有する光学的情報記録媒体に対して上記２つのアドレス情報のいずれかに基づいて情報の再生を行う情報再生手段を有する情報再生装置であって、上記光学的情報記録媒体が記録可能か否かを判断し、記録不可能と判断した場合、上記データの未記録時に予め記録されているアドレス情報の取得を禁止して情報の再生を行う情報再生制御手段を備えた情報再生装置。
【０００８】
さらに、次の（５）と（６）のプログラムも提供する。
（５）コンピュータに、データの未記録時に予め記録されているアドレス情報と記録されたデータの構造内に含まれるアドレス情報との２つのアドレス情報を有する光学的情報記録媒体に対して上記２つのアドレス情報のいずれかに基づいて情報の再生を行う情報再生手順と、上記光学的情報記録媒体が記録可能か否かを判断し、記録不可能と判断した場合、上記記録されたデータの構造内のアドレス情報に基づいて上記光学的情報記録媒体の情報を再生する情報再生制御手順を実行させるためのプログラム。
【０００９】
（６）コンピュータに、データの未記録時に予め記録されているアドレス情報と記録されたデータの構造内に含まれるアドレス情報との２つのアドレス情報を有する光学的情報記録媒体に対して上記２つのアドレス情報のいずれかに基づいて情報の再生を行う情報再生手順と、上記光学的情報記録媒体が記録可能か否かを判断し、記録不可能と判断した場合、上記データの未記録時に予め記録されているアドレス情報の取得を禁止して情報の再生を行う情報再生制御手順を実行させるためのプログラム。
【００１０】
また、次の（７）と（８）の記録媒体も提供する。
（７）コンピュータに、データの未記録時に予め記録されているアドレス情報と記録されたデータの構造内に含まれるアドレス情報との２つのアドレス情報を有する光学的情報記録媒体に対して上記２つのアドレス情報のいずれかに基づいて情報の再生を行う情報再生手順と、上記光学的情報記録媒体が記録可能か否かを判断し、記録不可能と判断した場合、上記記録されたデータの構造内のアドレス情報に基づいて上記光学的情報記録媒体の情報を再生する情報再生制御手順を実行させるためのプログラムを記録したコンピュータ読み取り可能な記録媒体。
【００１１】
（８）コンピュータに、データの未記録時に予め記録されているアドレス情報と記録されたデータの構造内に含まれるアドレス情報との２つのアドレス情報を有する光学的情報記録媒体に対して上記２つのアドレス情報のいずれかに基づいて情報の再生を行う情報再生手順と、上記光学的情報記録媒体が記録可能か否かを判断し、記録不可能と判断した場合、上記データの未記録時に予め記録されているアドレス情報の取得を禁止して情報の再生を行う情報再生制御手順を実行させるためのプログラムを記録したコンピュータ読み取り可能な記録媒体。
【００１２】
さらに、次の（９）〜（１３）の光ディスク装置も提供する。
（９）ＡＴＩＰ情報とＳｕｂＱ情報の２つの情報を有する光ディスクに対して上記２つの情報のいずれかに基づいて情報の再生を行う情報再生手段を有する光ディスク装置であって、上記光ディスクが追記可能か否かを判断し、追記不可能と判断した場合、上記ＳｕｂＱ情報に基づいて上記光ディスクの情報を再生する情報再生制御手段を備えた光ディスク装置。
（１０）ＡＴＩＰ情報とＳｕｂＱ情報の２つの情報を有する光ディスクに対して前記２つの情報のいずれかに基づいて情報の再生を行う情報再生手段を有する光ディスク装置であって、上記光ディスクが追記可能か否かを判断し、追記不可能と判断した場合、上記ＡＴＩＰ情報の取得を禁止して情報の再生を行う情報再生制御手段を備えた光ディスク装置。
【００１３】
（１１）ＡＴＩＰ情報とＳｕｂＱ情報の２つの情報を有する光ディスクに対して前記２つの情報のいずれかに基づいて情報の再生を行う情報再生手段を有する光ディスク装置であって、上記光ディスクが追記可能か否かを判断し、追記不可能と判断した場合、ホストコンピュータから上記ＡＴＩＰ情報を読み出すコマンドを受け取っても上記ＡＴＩＰ情報を返送しないようにする手段を備えた光ディスク装置。
（１２）上記（１０）の光ディスク装置において、上記光ディスクがＣＤ−ＲＷディスクの場合、そのＡＴＩＰ情報を取得する手段を設けた光ディスク装置。
（１３）上記（１１）の光ディスク装置において、上記光ディスクが追記禁止のＣＤ−ＲＷディスクの場合、そのＡＴＩＰ情報を上記ホストコンピュータへ返送する手段を設けた光ディスク装置。
【００１４】
【発明の実施の形態】
以下、この発明の実施形態を図面に基づいて具体的に説明する。
図１は、この発明の一実施形態であるＣＤ−Ｒ／ＲＷドライブの構成を示すブロック図である。図中の矢印は代表的な信号やデータの流れを示すものであり、各ブロックの接続関係を全て表すものではない。
光ディスク１は、ＣＤ，ＣＤ−ＲＯＭ，ＣＤ−Ｒ／ＲＷ等の光学的情報記録媒体である。光ディスク１における「データの未記録時に予め記録されているアドレス情報」とは、未記録状態の光ディスクが備えている形状，構造等によるアドレス情報であり、ＣＤ−Ｒ／ＲＷディスクの場合はＡＴＩＰ情報が相当する。また、光ディスク１における「記録されたデータの構造内に含まれるアドレス情報」とは、ピット等のマークが形成されることによって現れるアドレス情報であり、ＣＤ系ディスクの場合はサブコードＱチャネル（ＳｕｂＱ情報）が相当する。
【００１５】
スピンドルモータ２は、光ディスク１を回転駆動する。モータドライバ３とサーボ処理部４は、スピンドルモータ２を線速度が一定または角速度が一定になるように制御する。その線速度又は角速度は段階的に変更が可能である。
光ピックアップ５は、図示を省略した公知の半導体レーザ光源（ＬＤ），光学系，フォーカスアクチュエータ，トラックアクチュエータ，受光素子及びポジションセンサ等を内蔵したものであり、光ディスク１にレーザ光（ＬＤ）を照射し、光ディスク１にデータ（情報）を記録したり、光ディスク１に記録されたデータ（情報）を読み取ったりするためのユニットである。また、光ピックアップ５はシークモータによってディスク半径方向に移動可能である。フォーカスアクチュエータ，トラックアクチュエータ，シークモータは、受光素子，ポジションセンサから得られた信号に基づいてモータドライバ３とサーボ処理部４によってレーザ光のスポット（レーザスポット）が光ディスク１の記録面の目的の場所に位置するように制御される。
【００１６】
光ディスク１に記録された情報のリード（読み取り，再生）の場合、光ピックアップ５で得られた再生信号をリードアンプ６で増幅して２値化した後、ＣＤデコーダ７に入力してデインターリーブとエラー訂正の処理を施す。続いてそのデータをＣＤ−ＲＯＭデコーダ８に入力して、さらにデータの信頼性を高めるために再度エラー訂正の処理を施す。その後、そのデータをバッファメモリマネージャ９によって一旦バッファメモリ（バッファＲＡＭ）に蓄えて、セクタデータとして揃ったところでホストインターフェース（ホストＩ／Ｆ）１１を通してホストコンピュータへ一気に送る。光ディスク１からデータを読み出す速度はホストコンピュータの指示やホストＩ／Ｆ１１の転送レートや光ディスク１の信号品質や機械特性によって適宜変更される。
【００１７】
音楽データが記録されている光ディスク１の再生の場合、ＣＤデコーダ７から出力されるデータをＤ／Ａコンバータ１２へ送って音楽信号に変換する。そしてアンプ１３で増幅し、ヘッドフォン１４で音楽を聴くことができる。また、ＣＤデコーダ７から出力されるデータを一旦バッファメモリ１０に蓄え、そのバッファメモリ１０からＤ／Ａコンバータ１２にデータを送る場合もある。
【００１８】
光ディスク１に情報をライト（書き込み、記録）する場合、ホストＩ／Ｆ１１を通してホストコンピュータから送られてきたデータをバッファメモリマネージャ９によって一旦バッファメモリ１０に蓄える。バッファメモリ１０にある程度の量のデータが貯まったところでライトを開始するが、その前にレーザースポットを光ディスク１の記録面の書き込み開始地点に位置させなければならない。その地点は予め光ディスクにトラックの蛇行によって刻まれているウォブル信号により求められる。そのウォブル信号にはＡＴＩＰ情報と呼ばれる絶対時間情報が含まれており、ＡＴＩＰデコーダ１５によってＡＴＩＰ情報を取り出す。また、ＡＴＩＰデコーダ１５が生成する同期信号をＣＤエンコーダ１６に入力して正確な位置でのデータの書き出しを可能にしている。
【００１９】
ＣＤ−ＲＯＭエンコーダ１７やＣＤエンコーダ１６は、バッファメモリ１０のデータにエラー訂正コードの付加やインターリーブを行い、ＣＤエンコーダ１６から記録用ＥＦＭに変調された信号となって出力し、ＬＤドライバ１８でＬＤ制御を施し、光ピックアップ５によってコントロールされたレーザ光線により光ディスク１に記録される。
光ディスク１へデータを記録する速度はＺＣＬＶ等の記録方式やホストコンピュータの指示によって適宜変更される。ＬＤドライバ１８によるＬＤ制御は、記録用ＥＦＭに従ってレーザ光線をライトパワーで発光させり、適切な記録再生が行えるように絶えず発光の状態を制御している。
システムコントローラ（ＣＰＵ）１９は、このＣＤ−Ｒ／ＲＷドライブの全体の制御を司り、この発明に係る各種の処理を実行する。
【００２０】
そして、システムコントローラ１９が、データの未記録時に予め記録されているアドレス情報と記録されたデータの構造内に含まれるアドレス情報との２つのアドレス情報を有する光学的情報記録媒体に対して上記２つのアドレス情報のいずれかに基づいて情報の再生を行う情報再生手段と、上記光学的情報記録媒体が記録可能か否かを判断し、記録不可能と判断した場合、上記記録されたデータの構造内のアドレス情報に基づいて上記光学的情報記録媒体の情報を再生する情報再生制御手段と、上記光学的情報記録媒体が記録可能か否かを判断し、記録不可能と判断した場合、上記データの未記録時に予め記録されているアドレス情報の取得を禁止して情報の再生を行う情報再生制御手段の機能を果たす。
【００２１】
また、ＡＴＩＰ情報とＳｕｂＱ情報の２つの情報を有する光ディスクに対して上記２つの情報のいずれかに基づいて情報の再生を行う情報再生手段と、上記光ディスクが追記可能か否かを判断し、追記不可能と判断した場合、上記ＳｕｂＱ情報に基づいて上記光ディスクの情報を再生する情報再生制御手段と、上記光ディスクが追記可能か否かを判断し、追記不可能と判断した場合、上記ＡＴＩＰ情報の取得を禁止して情報の再生を行う情報再生制御手段の機能も果たす。さらに、ホストコンピュータから上記ＡＴＩＰ情報を読み出すコマンドを受け取っても上記ＡＴＩＰ情報を返送しないようにする手段と、上記光ディスクがＣＤ−ＲＷディスクの場合、そのＡＴＩＰ情報を取得する手段と、上記光ディスクが追記禁止のＣＤ−ＲＷディスクの場合、そのＡＴＩＰ情報を上記ホストコンピュータへ返送する手段の機能も果たす。
【００２２】
この機能を果たすため、システムコントローラ１９の図示を省略した内蔵メモリに、データの未記録時に予め記録されているアドレス情報と記録されたデータの構造内に含まれるアドレス情報との２つのアドレス情報を有する光学的情報記録媒体に対して上記２つのアドレス情報のいずれかに基づいて情報の再生を行う情報再生手順と、上記光学的情報記録媒体が記録可能か記録不可能かを判断し、記録不可能と判断した場合、上記記録されたデータの構造内のアドレス情報に基づいて上記光学的情報記録媒体の情報を再生する情報再生制御手順と、上記光学的情報記録媒体が記録可能か否かを判断し、記録不可能と判断した場合、上記データの未記録時に予め記録されているアドレス情報の取得を禁止して情報の再生を行う情報再生制御手順を実行させるためのプログラムを予めインストールする。また、そのプログラムを記録したフレキシブルディスク等の磁気ディスクやＭＯディスク，ＣＤ−ＲＯＭディスク，ＣＤ−Ｒ／ＲＷディスク等の光ディスク（コンピュータ読み取り可能な記録媒体）を介して外部のホストコンピュータからインストールするようにしてもよいし、通信網を介して外部のホストコンピュータからネットワーク経由でインストールするようにしてもよい。
【００２３】
したがって、システムコントローラ１９は、データの未記録時に予め記録されているアドレス情報と記録されたデータの構造内に含まれるアドレス情報との２つのアドレス情報を有する光学的情報記録媒体に対して上記２つのアドレス情報のいずれかに基づいて情報の再生を行う情報再生方法であって、上記光学的情報記録媒体が記録可能か否かを判断し、記録不可能と判断した場合、上記記録されたデータの構造内のアドレス情報に基づいて上記光学的情報記録媒体の情報を再生する情報再生方法と、上記光学的情報記録媒体が記録可能か否かを判断し、記録不可能と判断した場合、上記データの未記録時に予め記録されているアドレス情報の取得を禁止して情報の再生を行う情報再生方法の処理を実行する。
【００２４】
図２は、図１のシステムコントローラ１９によるこの発明の基礎となる光ディスクマウントシーケンスの処理を示すフローチャート図である。
システムコントローラ１９は、ステップ（図中「Ｓ」で示す）１で光ディスクが挿入されたか否かを判断し、光ディスクが挿入されたと判断したら、ステップ２でサーボ調整処理と称して、ディスクイナーシャの測定，ホーム位置の確定，回路オフセットの調整，ＬＤ回路の調整，反射率の測定，信号振幅の調整，トラックピッチの測定などのさまざまな測定や調整を行う。ここでトラッキングができるようになり、光ディスクからの情報が読み出し可能になる。
【００２５】
ステップ３で最初にリードイン領域（Ｌｅａｄ−ｉｎエリア）へシークし、ＴＯＣ情報リードでＴＯＣ情報を読み出す。光ディスクがマルチセッションディスクであれば各セッションのＴＯＣ情報を読み出す。そのＴＯＣ情報はトラックのスタート時間を示す重要な情報であるが、それ以外にも各種情報を含んでおり、ＰＯＩＮＴ＝Ｂ０のＭＩＮ，ＳＥＣ，ＦＲＡＭＥには次に記録可能なプログラムエリアのスタート時間が記録されている。また、閉じられた光ディスク、すなわち追記できないマルチセッションディスクの最後のセッションのＰＯＩＮＴ＝Ｂ０はＭＩＮ，ＳＥＣ，ＦＲＡＭＥがＦＦ，ＦＦ，ＦＦで記録されている。閉じられたシングルセッションディスクの場合、ＰＯＩＮＴ＝Ｂ０が無いこともある。
【００２６】
そこで、ステップ４でＰＯＩＮＴ＝Ｂ０が無いか否かを、ステップ５でＰＯＩＮＴ＝Ｂ０がＭＩＮ，ＳＥＣ，ＦＲＡＭＥ＝ＦＦ，ＦＦ，ＦＦか否かをそれぞれ判断し、ＰＯＩＮＴ＝Ｂ０が無い場合とＰＯＩＮＴ＝Ｂ０がＭＩＮ，ＳＥＣ，ＦＲＡＭＥ＝ＦＦ，ＦＦ，ＦＦの場合には、ステップ１０で挿入された光ディスクが追記禁止ディスクであると判定し、ＰＯＩＮＴ＝Ｂ０が有る場合とＰＯＩＮＴ＝Ｂ０がＭＩＮ，ＳＥＣ，ＦＲＡＭＥ＝ＦＦ，ＦＦ，ＦＦではない場合には、ステップ６で挿入された光ディスクが追記可能ディスクであると判定する。
【００２７】
ステップ７でファーストセッションのリードイン領域（Ｌｅａｄ−ｉｎエリア）へシークし、ＡＴＩＰ情報リードでＡＴＩＰ情報を読み出す。ステップ８でＡＴＩＰ情報有りか否かを判断し、有ればステップ９でＰＭＡエリアへシークし、ＰＭＡ情報リードでＰＭＡ情報を読み出す。しかし、ＡＴＩＰ情報リードでＡＴＩＰ情報の同期信号が検出されなかった場合、ステップ８でＡＴＩＰ情報無し（ＡＴＩＰ情報が無い光ディスク）と判断し、ＰＭＡ情報リードをパスし、この処理を終了する。
【００２８】
次に、図１のシステムコントローラ１９によるこの発明の請求項１，３，５，７，９に係る光ディスクマウントシーケンスの処理について説明する。
ＣＤ−Ｒ／ＲＷドライブの市場は急速に拡大しつつあり、ＰＣに搭載されるドライブもＣＤ−ＲＯＭドライブからＣＤ−Ｒ／ＲＷドライブに変ろうとしている。ＣＤ−Ｒ／ＲＷドライブの開発競争は熾烈を極め、ＣＤ−Ｒディスクのライト速度がリード速度に近づいた現在、記録速度以外の新機能による付加価値付けが行われるようになった。そんな新機能の一つにＡＴＩＰ情報の線速度よりも速い線速度で記録する機能がある。これは記録線密度を低くして記録品質を上げるための機能であるが、当然ＡＴＩＰ情報とＳｕｂＱ情報の時間情報が一致しなくなる。
【００２９】
一方、これまでのＣＤ−Ｒ／ＲＷドライブはＡＴＩＰ情報とＳｕｂＱ情報の時間情報が一致していることを前提に設計されており、ＳｕｂＱ情報の読み取りが悪い場合のアクセス性能を上げるために、ＡＴＩＰ情報またはＳｕｂＱ情報のどちらかの時間情報がＣＲＣチェックＯＫで読めたらその情報に基づいてシークするようになっている。そして、このようなＣＤ−Ｒ／ＲＷドライブへＡＴＩＰ情報とＳｕｂＱ情報の時間情報がずれたディスクを挿入すると正常にアクセスできない問題が発生する。
そこで、データの未記録時に予め記録されているアドレス情報と記録されたデータの構造内に含まれるアドレス情報とにずれのある光学的情報記録媒体でも正常に情報にアクセスできるようにする。
【００３０】
図３は、図１のシステムコントローラ１９によるこの発明の請求項１，３，５，７，９に係る光ディスクマウントシーケンスの処理を示すフローチャート図である。
システムコントローラ１９は、ステップ１１でシークを行う。このシークは、シークモータによって光ピックアップを大きく移動させる粗シークと対物レンズを移動させる微シークと１トラック移動するトラックジャンプの繰り返しで行われる。それぞれのシークを完了，繰り返すためには現在位置を知る必要があり、ＡＴＩＰ情報やＳｕｂＱ情報の時間情報が用いられる。アドレスはこの時間情報を変換して得られる。シークで移動距離に応じて粗シーク，微シーク又はトラックジャンプを行う。
【００３１】
ステップ１２で追記可能な光ディスク（記録可能な光ディスク）か否かを判断し、追記可能な光ディスクの場合、ステップ１３でＡＴＩＰ情報またはＳｕｂＱ情報でアドレスリードしてアドレスを取得し、追記不可能な光ディスク（記録不可能な光ディスク，追記禁止ディスク）の場合、ステップ１５でＳｕｂＱ情報でアドレスリードしてアドレスを取得する。ステップ１４で取得したアドレスが目標アドレスの手前の所定のセクタ以内か否かを判断し、目標アドレスの手前の所定のセクタ以内であればシークを終了し、そのアドレスのデータを再生する。そうでなければステップ１１へ戻ってシークを繰り返す。
このようにして、ＡＴＩＰ情報とＳｕｂＱ情報の時間情報がずれた光ディスクでも正常にアクセスしてデータを読み出すことができる。
【００３２】
次に、図１のシステムコントローラ１９によるこの発明の請求項２，４，６，８，１０に係る光ディスクマウントシーケンスの処理について説明する。
ＣＤ−Ｒ／ＲＷドライブはＣＤ−ＲディスクまたはＣＤ−ＲＷディスクが挿入されるとディスクの種類やフォーマット，トラック，セッションの構成や容量，記録の状態を調べるマウント動作においてＡＴＩＰ情報に含まれるスペシャルインフォメーションやアディショナルインフォメーションを読みに行く。ＣＤ−ＲＯＭドライブは記録装置ではないため、ＡＴＩＰ情報に含まれるスペシャルインフォメーションやアディショナルインフォメーションを読む必要もないし、ＡＴＩＰ情報を読むための機構も搭載されていない。
【００３３】
したがって、データが記録された同じＣＤ−ＲディスクをＣＤ−Ｒ／ＲＷドライブとＣＤ−ＲＯＭドライブに挿入してマウント時間を測定するとＣＤ−Ｒ／ＲＷドライブの方が遅い傾向にある。これはＣＤ−Ｒ／ＲＷドライブがＣＤ−ＲＯＭドライブに比べてＡＴＩＰ情報を読む余分な動作をする影響が大きいからである。実際、ユーザの使い勝手を考えた場合、再生する上で追記ができないようにセッションが閉じられた光ディスクをＣＤ−Ｒ／ＲＷディスクと認識する必要は無く、これをＣＤ−ＲＯＭディスクと同等に扱えばマウント時間の向上を図ることができる。そこで、光学的情報記録媒体のマウント時間を短縮する。
【００３４】
図４は、図１のシステムコントローラ１９によるこの発明の請求項２，４，６，８，１０に係る光ディスクマウントシーケンスの処理を示すフローチャート図である。
システムコントローラ１９は、ステップ２１で光ディスクが挿入されたか否かを判断し、光ディスクが挿入されたと判断したら、ステップ２２でサーボ調整処理と称して、ディスクイナーシャの測定，ホーム位置の確定，回路オフセットの調整，ＬＤ回路の調整，反射率の測定，信号振幅の調整，トラックピッチの測定などのさまざまな測定や調整を行う。ここでトラッキングができるようになり、光ディスクからの情報が読み出し可能になる。
【００３５】
ステップ２３で最初にリードイン領域（Ｌｅａｄ−ｉｎエリア）へシークし、ＴＯＣ情報リードでＴＯＣ情報を読み出す。光ディスクがマルチセッションディスクであれば各セッションのＴＯＣ情報を読み出す。そのＴＯＣ情報はトラックのスタート時間を示す重要な情報であるが、それ以外にも各種情報を含んでおり、ＰＯＩＮＴ＝Ｂ０のＭＩＮ，ＳＥＣ，ＦＲＡＭＥには次に記録可能なプログラムエリアのスタート時間が記録されている。また、閉じられた光ディスク、すなわち、追記できないマルチセッションディスクの最後のセッションのＰＯＩＮＴ＝Ｂ０はＭＩＮ，ＳＥＣ，ＦＲＡＭＥがＦＦ，ＦＦ，ＦＦで記録されている。閉じられたシングルセッションディスクの場合、ＰＯＩＮＴ＝Ｂ０が無いこともある。
【００３６】
そこで、ステップ２４でＰＯＩＮＴ＝Ｂ０が無いか否かを、ステップ２５でＰＯＩＮＴ＝Ｂ０がＭＩＮ，ＳＥＣ，ＦＲＡＭＥ＝ＦＦ，ＦＦ，ＦＦか否かをそれぞれ判断し、ＰＯＩＮＴ＝Ｂ０が無い場合とＰＯＩＮＴ＝Ｂ０がＭＩＮ，ＳＥＣ，ＦＲＡＭＥ＝ＦＦ，ＦＦ，ＦＦの場合には、ステップ３０で挿入された光ディスクが追記禁止ディスク（記録不可能な光ディスク）であると判定し、この処理を終了してデータを再生する。
一方、ステップ２４の判断でＰＯＩＮＴ＝Ｂ０が有る場合と、ステップ２５の判断でＰＯＩＮＴ＝Ｂ０がＭＩＮ，ＳＥＣ，ＦＲＡＭＥ＝ＦＦ，ＦＦ，ＦＦではない場合には、ステップ２６で挿入された光ディスクが追記可能ディスクであると判定し、ステップ２７でファーストセッションのリードイン領域（Ｌｅａｄ−ｉｎエリア）へシークし、ＡＴＩＰ情報リードでＡＴＩＰ情報を読み出す。
【００３７】
ステップ２８でＡＴＩＰ情報有りか否かを判断し、有ればステップ２９でＰＭＡエリアへシークし、ＰＭＡ情報リードでＰＭＡ情報を読み出す。しかし、ＡＴＩＰ情報リードでＡＴＩＰ情報の同期信号が検出されなかった場合、ステップ２８でＡＴＩＰ情報無し（ＡＴＩＰ情報が無い光ディスク）と判断し、ＰＭＡ情報リードをパスし、この処理を終了する。
このようにして、追記禁止ディスクと判定した場合、ＣＤ−ＲＯＭドライブと同じ動作をするのであれば、ＡＴＩＰ情報とＰＭＡ情報は必ずしも必要でないので、ＡＴＩＰ情報，ＰＭＡ情報をリードせずにマウントを終了し、データを再生するので、ＣＤ−Ｒディスクのマウント時間が向上し、データ再生時間を短縮することができる。
【００３８】
次に、図１のシステムコントローラ１９によるこの発明の請求項１１に係る光ディスクマウントシーケンスの処理について説明する。
アプリケーション上、ＣＤ−ＲＯＭドライブでは動作するがＣＤ−Ｒ／ＲＷドライブでは動作しないといったＣＤ−Ｒディスクがある。現状、ＣＤ−Ｒ／ＲＷドライブはＣＤ−Ｒディスクが挿入されるとＡＴＩＰ情報を読み出し、ホストコンピュータからリードトック（Ｒｅａｄ　ＴＯＣ），ＰＭＡ，ＡＴＩＰコマンドのようなＡＴＩＰ情報を読み出すコマンドが来ると要求された情報を返すようにしている。それに対し、ＣＤ−ＲＯＭドライブはＡＴＩＰ情報を読み出す機構を持たないため、Ｒｅａｄ　ＴＯＣ，ＰＭＡ，ＡＴＩＰコマンドのようなＡＴＩＰ情報を読み出すコマンドに対してエラーを返す。
【００３９】
このように、ＣＤ−ＲＯＭドライブとＣＤ−Ｒ／ＲＷドライブでホストコンピュータに対する反応の違いがドライブ互換性を失わせている。
そこで、追記ができないようにセッションが閉じられた光ディスクの場合は、上記のようなコマンドに対する反応をＣＤ−ＲＯＭドライブと同じにすることにより、ＣＤ−ＲＯＭドライブとの互換性を向上させる。
【００４０】
図５は、図１のシステムコントローラ１９によるこの発明の請求項１１に係る光ディスクマウントシーケンスの処理を示すフローチャート図である。
システムコントローラ１９は、光ディスクのマウント時、ステップ３１でホストコンピュータからリードトック（Ｒｅａｄ　ＴＯＣ），ＰＭＡ又はＡＴＩＰコマンドを受信したか否かを判断し、受信したらステップ３２でＰＭＡ情報又はＡＴＩＰ情報を要求するコマンドか否かを判断し、ＰＭＡ情報又はＡＴＩＰ情報を要求するコマンドでなければ、ステップ３６で通常の処理をしてこの処理を終了する。
【００４１】
一方、ステップ３２でＰＭＡ情報又はＡＴＩＰ情報を要求するコマンドであると判断したら、ステップ３３で挿入された光ディスクが追記禁止ディスク（記録不可能な光ディスク）か否かを判断する。追記禁止ディスクであればドライブがこの情報の返送に対応していないということでＰＭＡ情報及びＡＴＩＰ情報を返送せず、ホストコンピュータへエラーを返すエラー処理を実行し、この処理を終了する。また、ステップ３３の判断で追記禁止ディスクでなければ、ステップ３４でＰＭＡ情報及びＡＴＩＰ情報をホストコンピュータへ返送し、この処理を終了する。このようにして、ＣＤ−ＲＯＭドライブとの再生互換性が向上する。
【００４２】
次に、図１のシステムコントローラ１９によるこの発明の請求項１２に係る光ディスクマウントシーケンスの処理について説明する。
追記ができないようにセッションが閉じられた光ディスクであってもＣＤ−ＲＷディスクの場合は消去が可能である。そのためには、マウント時にＡＴＩＰ情報に含まれるスペシャルインフォメーションやアディショナルインフォメーションを読み込んだほうが都合が良い。ＣＤ−Ｒディスクよりも価格の高いＣＤ−ＲＷディスクをＣＤ−ＲＯＭの代わりとして使用するケースは少ないと考えられ、マウント時間の短縮メリットよりもデメリットのほうが強調されるため、ＣＤ−ＲディスクのときにはＡＴＩＰ情報を読むようにする。
【００４３】
図６は、図１のシステムコントローラ１９によるこの発明の請求項１２に係る光ディスクマウントシーケンスの処理を示すフローチャート図である。
システムコントローラ１９は、ステップ４１で光ディスクが挿入されたか否かを判断し、光ディスクが挿入されたと判断したら、ステップ４２でサーボ調整処理と称して、ディスクイナーシャの測定，ホーム位置の確定，回路オフセットの調整，ＬＤ回路の調整，反射率の測定，信号振幅の調整，トラックピッチの測定などのさまざまな測定や調整を行う。ここでトラッキングができるようになり、光ディスクからの情報が読み出し可能になる。ステップ４３で反射率に基づいて光ディスクの種類を判別する。ＣＤ−ＲＷディスクは反射率がＣＤ−Ｒディスク，ＣＤ−ＲＯＭディスクに比べて低い。この反射率の高低に基づいてマウントされた光ディスクがＣＤ−ＲＷディスクか否かを判別する。
【００４４】
ステップ４４では、最初にリードイン領域（Ｌｅａｄ−ｉｎエリア）へシークし、ＴＯＣ情報リードでＴＯＣ情報を読み出す。光ディスクがマルチセッションディスクであれば各セッションのＴＯＣ情報を読み出す。そのＴＯＣ情報はトラックのスタート時間を示す重要な情報であるが、それ以外にも各種情報を含んでおり、ＰＯＩＮＴ＝Ｂ０のＭＩＮ，ＳＥＣ，ＦＲＡＭＥには次に記録可能なプログラムエリアのスタート時間が記録されている。また、閉じられた光ディスク、すなわち追記できないマルチセッションディスクの最後のセッションのＰＯＩＮＴ＝Ｂ０はＭＩＮ，ＳＥＣ，ＦＲＡＭＥがＦＦ，ＦＦ，ＦＦで記録されている。閉じられたシングルセッションディスクの場合、ＰＯＩＮＴ＝Ｂ０が無いこともある。
【００４５】
そこで、ステップ４５でＰＯＩＮＴ＝Ｂ０が無いか否かを、ステップ４６でＰＯＩＮＴ＝Ｂ０がＭＩＮ，ＳＥＣ，ＦＲＡＭＥ＝ＦＦ，ＦＦ，ＦＦか否かをそれぞれ判断し、ＰＯＩＮＴ＝Ｂ０が無い場合とＰＯＩＮＴ＝Ｂ０がＭＩＮ，ＳＥＣ，ＦＲＡＭＥ＝ＦＦ，ＦＦ，ＦＦの場合には、ステップ５１で挿入された光ディスクが追記禁止ディスク（記録不可能な光ディスク）であると判定し、ステップ５２でステップ４３の判別結果に基づいて光ディスクがＣＤ−ＲＷディスクか否かを判断し、ＣＤ−ＲＷディスクでなければこの処理を終了してデータを再生し、ＣＤ−ＲＷディスクならステップ４８へ進む。一方、ステップ４５の判断でＰＯＩＮＴ＝Ｂ０が有る場合と、ステップ４６の判断でＰＯＩＮＴ＝Ｂ０がＭＩＮ，ＳＥＣ，ＦＲＡＭＥ＝ＦＦ，ＦＦ，ＦＦではない場合には、ステップ４７で挿入された光ディスクが追記可能ディスクであると判定し、ステップ４８へ進む。ステップ４８ではファーストセッションのリードイン領域（Ｌｅａｄ−ｉｎエリア）へシークし、ＡＴＩＰ情報リードでＡＴＩＰ情報を読み出す。
【００４６】
ステップ４９でＡＴＩＰ情報有りか否かを判断し、有ればステップ５０でＰＭＡエリアへシークし、ＰＭＡ情報リードでＰＭＡ情報を読み出す。しかし、ＡＴＩＰ情報リードでＡＴＩＰ情報の同期信号が検出されなかった場合、ステップ４９でＡＴＩＰ情報無し（ＡＴＩＰ情報が無い光ディスク）と判断し、ＰＭＡ情報リードをパスし、この処理を終了する。
このように、ＣＤ−ＲＷディスクは追記禁止ディスクであってもそれを解除したり、ディスクやセッションを消去可能であるから、追記禁止ディスクだからと言って無条件にＡＴＩＰやＰＭＡをリードしないのは都合が悪い。
そこで上述のように、光ディスクが追記禁止ディスクと判定された後、ＣＤ−ＲＷディスクなら、ＡＴＩＰ情報やＰＭＡ情報をリードし、ＣＤ−ＲＷディスクでなければＡＴＩＰ情報やＰＭＡ情報をリードせずにマウントを終了するので、ＣＤ−ＲＷディスクが消去できない問題を解消することができる。
【００４７】
次に、図１のシステムコントローラ１９によるこの発明の請求項１３に係る光ディスクマウントシーケンスの処理について説明する。
ＣＤ−ＲＷディスクにおいて、ホストコンピュータから要求されたＡＴＩＰ情報を返さないと、ホストコンピュータ上で動作するアプリケーションはＣＤ−Ｒ／ＲＷドライブにマウントされている光ディスクを消去できないディスクと判定する場合が有る。そこで、ＣＤ−ＲディスクのときにＡＴＩＰ情報をホストコンピュータへ返送しないようにする。
【００４８】
図７は、図１のシステムコントローラ１９によるこの発明の請求項１３に係る光ディスクマウントシーケンスの処理を示すフローチャート図である。
システムコントローラ１９は、光ディスクのマウント時、ステップ６１でホストコンピュータからリードトック（Ｒｅａｄ　ＴＯＣ），ＰＭＡ又はＡＴＩＰコマンドを受信したか否かを判断し、受信したらステップ６２でＰＭＡ情報又はＡＴＩＰ情報を要求するコマンドか否かを判断し、ＰＭＡ情報又はＡＴＩＰ情報を要求するコマンドでなければ、ステップ６７で通常の処理をしてこの処理を終了する。
【００４９】
一方、ステップ６２でＰＭＡ情報又はＡＴＩＰ情報を要求するコマンドであると判断したら、ステップ６３で追記禁止ディスクか否かを判断し、追記禁止ディスクであればステップ６５でＣＤ−ＲＷディスクか否かを判断し、ＣＤ−ＲＷディスクでなければ（すなわちＣＤ−Ｒディスクなら）、ドライブがこの情報の返送に対応していないということでＰＭＡ情報及びＡＴＩＰ情報を返送せず、ホストコンピュータへエラーを返すエラー処理を実行し、この処理を終了する。
また、ステップ６３の判断で追記禁止ディスクでない場合と、ステップ６５の判断でＣＤ−ＲＷディスクである場合は、ステップ６４でＰＭＡ情報及びＡＴＩＰ情報をホストコンピュータへ返送し、この処理を終了する。このようにして、ＣＤ−ＲＷディスクが消去できない問題を解消することができる。
【００５０】
なお、上述の実施形態では、ＣＤ−Ｒ／ＲＷディスクを記録再生するＣＤ−Ｒ／ＲＷドライブについて説明したが、ＣＤ＋Ｒ／ＲＷドライブ，ＤＶＤ−Ｒ／ＲＷドライブ，ＤＶＤ−ＲＡＭ／ＲＡＭ・ＷＯドライブ，ＤＶＤ＋Ｒ／ＲＷドライブにおいても同様に実施することができる。
【００５１】
その場合、ＣＤ＋Ｒ／ＲＷ，ＤＶＤ−Ｒ／ＲＷ，ＤＶＤ−ＲＡＭ／ＲＡＭ・ＷＯ，ＤＶＤ＋Ｒ／ＲＷ等の光学的情報記録媒体における「データの未記録時に予め記録されているアドレス情報」とは、未記録状態の光ディスクが備えている形状，構造等によるアドレス情報であり、ＤＶＤ−Ｒ／ＲＷディスクの場合はＬＰＰ（Ｌａｎｄ　Ｐｒｅ−Ｐｉｔ）情報が、ＤＶＤ＋Ｒ／ＲＷディスクの場合はＡＤＩＰ（ＡＤｄｒｅｓｓ　Ｉｎ　Ｐｒｅ−ｇｒｏｏｖｅ）情報が、ＤＶＤ−ＲＡＭ／ＲＡＭ・ＷＯディスクの場合はＣＡＰＡ（Ｃｏｍｐｌｉｍｅｎｔａｒｙ　Ａｌｌｏｃａｔｅｄ　Ｐｉｔ　Ａｄｄｒｅｓｓｉｎｇ）情報がそれぞれ相当する。また、「記録されたデータの構造内に含まれるアドレス情報」とは、ピット等のマークが形成されることによって現れるアドレス情報であり、ＤＶＤ−ＲＡＭ系以外のＤＶＤ系ディスクの場合は記録単位に含まれる物理アドレス情報が相当する。
【００５２】
【発明の効果】
以上説明してきたように、この発明の情報再生方法と情報再生装置と光ディスク装置によれば、データの未記録時に予め記録されているアドレス情報と記録されたデータの構造内に含まれるアドレス情報とにずれのある光学的情報記録媒体でも正常に情報にアクセスできるようにし、光学的情報記録媒体のマウント時間を短縮することができる。また、この発明のプログラムと記録媒体によれば、コンピュータにこの発明に係る処理機能を容易に実現させることができる。
【図面の簡単な説明】
【図１】この発明の一実施形態であるＣＤ−Ｒ／ＲＷドライブの構成を示すブロック図である。
【図２】図１のシステムコントローラ１９によるこの発明の基礎となる光ディスクマウントシーケンスの処理を示すフローチャート図である。
【図３】図１のシステムコントローラ１９によるこの発明の請求項１，３，５，７，９に係る光ディスクマウントシーケンスの処理を示すフローチャート図である。
【図４】図１のシステムコントローラ１９によるこの発明の請求項２，４，６，８，１０に係る光ディスクマウントシーケンスの処理を示すフローチャート図である。
【図５】図１のシステムコントローラ１９によるこの発明の請求項１１に係る光ディスクマウントシーケンスの処理を示すフローチャート図である。
【図６】図１のシステムコントローラ１９によるこの発明の請求項１２に係る光ディスクマウントシーケンスの処理を示すフローチャート図である。
【図７】図１のシステムコントローラ１９によるこの発明の請求項１３に係る光ディスクマウントシーケンスの処理を示すフローチャート図である。
【符号の説明】
１：光ディスク　　　　　２：スピンドルモータ
３：モータドライバ　　　４：サーボ処理部
５：光ピックアップ　　　６：リードアンプ
７：ＣＤデコーダ　　　　８：ＣＤ−ＲＯＭデコーダ
９：バッファメモリマネージャ
１０：バッファメモリ　　１１：ホストインターフェース
１２：Ｄ／Ａコンバータ　１３：アンプ
１４：ヘッドフォン　　　１５：ＡＴＩＰデコーダ
１６：ＣＤエンコーダ　　１７：ＣＤ−ＲＯＭエンコーダ
１８：ＬＤドライバ　　　１９：システムコントローラ（ＣＰＵ）
【図１】
2004046961.tif 000003
【図２】
2004046961.tif 000004
【図３】
2004046961.tif 000005
【図４】
2004046961.tif 000006
【図５】
2004046961.tif 000007
【図６】
2004046961.tif 000008
【図７】
2004046961.tif 000009